(57)【要約】      （修正有）【課題】歯切りした歯車等の油や切屑、小物品の汚れを容易に除去できる除去装置を提供する。【解決手段】筒状の装置本体３の内部に遠心式送風機４を装置本体３の筒軸方向と同一軸として高速回転自在に配設し、この遠心式送風機４の上面側に歯切りした歯車７を含む付着物の被除去用品を交換可能に装着するようにし、上記遠心式送風機４を高速回転して被除去用品に付着した油や切屑を含む付着物を遠心分離して払い落とすように形成するとともに、上記遠心式送風機４により発生する送風を筒状の装置本体３の側面の内周面にそって上昇させて装置本体３の上面の中央部から被除去用品に向かって吹き付けるようにして被除去用品に付着した油や切屑を含む付着物を吹き飛ばして除去するように形成している。【選択図】図１
0003179873.tif 000002
【実用新案登録請求の範囲】
【請求項１】
筒状の装置本体の内部に遠心式送風機を装置本体の筒軸方向と同一軸として高速回転自在に配設し、この遠心式送風機の上面側に歯切りした歯車を含む付着物の被除去用品を交換可能に装着するようにし、
上記遠心式送風機を高速回転して被除去用品に付着した油や切屑を含む付着物を遠心分離して払い落とすように形成するとともに、上記遠心式送風機により発生する送風を筒状の装置本体の側面の内周面にそって上昇させて装置本体の上面の中央部から被除去用品に向かって吹き付けるようにして被除去用品に付着した油や切屑を含む付着物を吹き飛ばして除去するように形成したことを特徴とする歯車等の油、切屑等の除去装置。
【請求項２】
遠心式送風機をシロッコフアンとし、１０００〜１５００ｒ．ｐ．ｍの高速回転で回転駆動自在に形成した請求項１に記載の歯車等の油、切屑等の除去装置。
【請求項３】
筒状の装置本体の上面の中央部に外気を吸入可能に筒状の吸入部を内側に突き出して設けた請求項１または２に記載の歯車等の油、切屑等の除去装置。
【請求項４】
遠心式送風機の上面側に歯切りした歯車の内周部を３点支持による回転支持装着部に交換可能に装着するように形成した請求項１ないし３のいずれかに記載の歯車の油、切屑の除去装置。
【請求項５】
遠心式送風機の上面側に遠心分離用の所定のメッシュの網目のかごを回転支持装着部に軸着して高速回転可能に形成した請求項１ないし３のいずれかに記載の歯車等の油、切屑等の除去装置。
【考案の詳細な説明】
【技術分野】
【０００１】
本考案は、歯車製造分野や部品の清浄分野における、特に歯切りした歯車等の油や切屑、小物品等の汚れの除去装置に関するものである。
【背景技術】
【０００２】
歯車は、動力の伝達部品として多様な分野の機械や部品、装置に広く利用されていて、この歯車を歯切り加工して製造するときに大量の切屑が発生し、この切屑の処理についていろいろな提案がなされている。たとえば、特開平１１−２３５６４０号公報には、歯切加工機から排出される切屑をマグネットコンベヤによって搬出し、切屑についた油を遠心脱油機で除去して切屑を回収処理することを提案している。
【０００３】
しかし、歯切り加工した歯車には、油や細かい切屑が大量に付着していて、次工程へのハンドリングや次工程での保管等において歯車に付着した油や細かい切屑が飛散したり、落下して作業環境を害するものであった。
【０００４】
そこで、特開２００７−７５９９４号公報のように冷却媒体や注油媒体、削りくずから保護し、完成品が機械から排出される前に油まみれにならない歯車製造機械等が提案されている。
【先行技術文献】
【特許文献】
【０００５】
【特許文献１】特開平１１−２３５６４０号公報
【特許文献２】特開２００７−７５９９４号公報
【考案の開示】
【考案が解決しようとする課題】
【０００６】
上記のものでは、完成加工品を歯車製造機械の作業軸の反対側に設置される移動台上に送り出され、遠心分離装置で除去するようにしている。しかし、歯車製造機械の側部に特別の遠心分離装置等を設置し、移送用の旋回アームを介して機械台と移動台とに加工品を搬送しているもので、装置が複雑で高価であり、除去した油の回収も容易でなかった。
【０００７】
また、出願人は、小型の歯車の油や切屑の除去装置を開発している。しかし、歯車の歯先部分の油や切屑は奇麗に除去できるが、歯車の中心部の軸孔部付近が今一つ奇麗に除去処理することができなかった。
【課題を解決するための手段】
【０００８】
本考案は、上記のような点に鑑みたもので、上記の課題を解決するために、筒状の装置本体の内部に遠心式送風機を装置本体の筒軸方向と同一軸として高速回転自在に配設し、この遠心式送風機の上面側に歯切りした歯車を含む付着物の被除去用品を交換可能に装着するようにし、上記遠心式送風機を高速回転して被除去用品に付着した油や切屑を含む付着物を遠心分離して払い落とすように形成するとともに、上記遠心式送風機により発生する送風を筒状の装置本体の側面の内周面にそって上昇させて装置本体の上面の中央部から被除去用品に向かって吹き付けるようにして被除去用品に付着した油や切屑を含む付着物を吹き飛ばして除去するように形成したことを特徴とする歯車等の油、切屑等の除去装置を提供するにある。
【０００９】
また、遠心式送風機をシロッコフアンとし、１０００〜１５００ｒ．ｐ．ｍの高速回転で回転駆動自在に形成した歯車等の油、切屑等の除去装置を提供するにある。
【００１０】
さらに、筒状の装置本体の上面の中央部に外気を吸入可能に筒状の吸入部を内側に突き出して設けた歯車等の油、切屑等の除去装置を提供するにある。
【００１１】
さらにまた、遠心式送風機の上面側に歯切りした歯車の内周部を３点支持による回転支持装着部に交換可能に装着するように形成した歯車の油、切屑の除去装置を提供するにある。
【００１２】
またさらに、遠心式送風機の上面側に遠心分離用の所定のメッシュの網目のかごを回転支持装着部に軸着して高速回転可能に形成した歯車等の油、切屑等の除去装置を提供するにある。
【考案の効果】
【００１３】
本考案の歯車の油や切屑の除去装置は、実用新案登録請求の範囲の請求項１に記載のとおり、筒状の装置本体の内部に遠心式送風機を装置本体の筒軸方向と同一軸として高速回転自在に配設し、この遠心式送風機の上面側に歯切りした歯車を含む付着物の被除去用品を交換可能に装着するようにしたことによって、遠心式送風機を高速回転して被除去用品に付着した油や切屑を含む付着物を遠心分離して払い落とすことができるとともに、遠心式送風機により発生する送風を筒状の装置本体の側面の内周面にそって上昇させて装置本体の上面の中央部から被除去用品に向かって吹き付けるようにして被除去用品に付着した油や切屑を含む付着物を吹き飛ばすことができ、歯車の中心部の軸孔部付近に付着した油や切屑をも奇麗に除去することができる。
【００１４】
また、同上の請求項２に記載のとおり、遠心式送風機をシロッコフアンと、１０００〜１５００ｒ．ｐ．ｍの高速回転で回転駆動自在に形成したことによって、ファンを小型で、軽量、安価なものとできて、効率よく遠心式送風機により発生する送風を筒状の装置本体の側面の内周面にそって上昇させて装置本体の上面の中央部から被除去用品に向かって吹き付けるようにして被除去用品に付着した油や切屑を含む付着物を吹き飛ばすことができ、歯車の中心部の軸孔部付近に付着した油や切屑などの付着物も奇麗に除去することができる。
【００１５】
さらに、同上の請求項３に記載のとおり、筒状の装置本体の上面の中央部に外気を吸入可能に筒状の吸入部を内側に突き出して設けたことによって、遠心式送風機によって発生した送風が装置本体の上面から被除去用品に吹き付けるとともに、その際に上面に設けた筒状の吸入部から外気を吸い込んで、あたかも竜巻状に旋回して吹き付け、歯車の中心部の軸孔部付近に付着した油や切屑などの付着物も奇麗に除去することができる。
【００１６】
さらにまた、同上の請求項４に記載のとおり、遠心式送風機の上面側に歯切りした歯車の内周部を３点支持による回転支持装着部に交換可能に装着するように形成したことによって、清掃する歯車を３点支持の回転支持装着部に交換可能に装着できて、上記のように歯車に付着した油や切屑を奇麗に除去することができる。
【００１７】
またさらに、同上の請求項５に記載のとおり、遠心式送風機の上面側に遠心分離用の所定のメッシュの網目のかごを回転支持装着部に軸着して高速回転可能に形成したことによって、かごに汚れたＣＤ等の小物品の被除去用品を収容して、上記のようにして付着物を除去することができる。
【図面の簡単な説明】
【００１８】
【図１】本考案の一実施例の概要説明用の一部省略した側断面図、
【図２】同上の機構説明用の側断面図、
【図３】同上の回転支持装着部の平面図、
【図４】同上の歯車の装着説明用図（ａ）、（ｂ）、（ｃ）、（ｄ）、
【図５】同上の他の実施例の概要説明用の一部省略した側断面図。
【考案を実施するための形態】
【００１９】
本考案の歯車等の油や切屑等の除去装置は、筒状の装置本体の内部に遠心式送風機を装置本体の筒軸方向と同一軸として高速回転自在に配設し、この遠心式送風機の上面側に歯切りした歯車を含む付着物の被除去用品を交換可能に装着するようにし、上記遠心式送風機を高速回転して被除去用品に付着した油や切屑を含む付着物を遠心分離して払い落とすように形成するとともに、上記遠心式送風機により発生する送風を筒状の装置本体の側面の内周面にそって上昇させて装置本体の上面の中央部から被除去用品に向かって吹き付けるようにして被除去用品に付着した油や切屑を含む付着物を吹き飛ばして除去するように形成したことを特徴としている。
【００２０】
歯車等の油や切屑等の除去装置１は、図１〜図３のように３００〜５００ｍｍ径、４００〜５００ｍｍ高さの小型の可搬式のものとし、脚部２を取り付けて所要の高さとした円筒状の装置本体３の下部に薄型の多翼ファンのシロッコファン、ターボファン等の遠心方向に送風する遠心式送風機４を配設し、その底面の裏側に小型モータの電動機５を配設して遠心式送風機４に軸受６を介して軸接続し、遠心送風機４を１０００〜１５００ｒ．ｐ．ｍの高速回転で駆動制御するようにしている。シロッコファンは、ファンを小型で、軽量、安価なものとでき、図のように薄い平板状にでき、効率よく、周方向に送風することができる。
【００２１】
そして、図２のようにシロッコファン等の遠心送風機４の上面側を盆状に凹ませ、図外の歯切加工機で歯切り加工した歯車７を軸着部８に装着した回転支持装着部９に交換可能に取り付けて、付着した油や切屑を除去するようにしている。
【００２２】
その歯車７の回転支持装着部９は、図２、図３のように中心部に小径の装着調整用歯車１０を薄状の調整板１１を介して軸着し、そのまわりにほぼ軸対称状に３個の所要径の軸支用歯車１２をそれぞれ係合して旋回可能に調整板１１に軸支し、この３個の軸支用歯車１２の上面に歯車７の内周部１３に３点支持により交換可能に装着する軸支ピン１４をそれぞれ立設している。
【００２３】
回転支持装着部９は、図４（ａ）〜（ｄ）のようにして装着調整用歯車１０の固定ボルト１５の締弛によって軸支用歯車１２を旋回して３つの軸支ピン１４の支持位置を拡縮可能としていて、所要径の歯車７の内周部１３を３点支持により装着できるようにしている。なお、歯車７としては、２５０ｍｍ径までの平歯車、二段歯車、はすば歯車、傘歯車などを対象としているが、必要により所要の口径のものにも対応可能である。
【００２４】
上記では、回転支持装着部９は、歯車機構による３点支持式のものとしたが、４点支持式等でも可能であり、またリンク機構式やチャック式等の拡縮機構とすることができる。
【００２５】
そして、このように形成した装置本体３の開閉蓋１６を兼ねる上面に、図１、図２のように４０〜５０ｍｍ径位の外気を吸い込める円筒状の吸入部１７を内部側に突き出して設け、シロッコファン等の遠心式送風機３によって発生する送風を装置本体３の上面側から歯車７に向かって吹き付けるようにしているとともに、その際に上面に設けた吸入部１７から外気を吸い込んで、あたかも竜巻状に旋回して歯車７に向かって吹き付け、歯車７の中心部の軸孔部付近に付着した油や切屑をも奇麗に除去できるようにしている。
【００２６】
なお、筒状の吸入部１７は、直筒状のものに限らず、ノズル状や、円錐状、ラッパ状等とすることも可能である。そして、図１のように装置本体２の開閉蓋１６を開閉して、歯車７を交換して油や切屑の除去を行なうことができる。１８はドレン穴である。
【００２７】
図５は、上記した装置本体３の回転支持装着部９に所定のメッシュの円環状のかご１９を装着し、かごに汚れたＣＤ等の小物品の被除去用品２０を収容して上記のようにして付着物を除去するようにしたものである。図のようにかご１９の中央部を空隙部２１とし、上記したように竜巻状の送風を吹き付けるようにし、また外周面は漸次上方側に膨らむ傾斜面として小物品の被除去用品２０が高速回転で浮き上がって送風が通りやすくし、脱油効果を高められるようにしている。
【００２８】
このように上記した本考案の趣旨にもとづいて、歯車７だけでなく、所要の遠心分離用のかご１９を用いて油や切屑等を除去することができる。
【実施例】
【００２９】
図１〜図３は、本考案の一実施例を示すもので、除去装置１は、図１〜図３のようにほぼ３００ｍｍ径、ほぼ４００ｍｍ高さの小型の可搬式のものとし、脚部２を取り付けた円筒状の装置本体３の下部に薄型の多翼ファンのシロッコファンの遠心式送風機４を配設し、その底面の裏側に小型モータの電動機５を配設して遠心送風機４を１５００ｒ．ｐ．ｍの高速回転で駆動制御するようにしている。
【００３０】
シロッコファンの遠心送風機４の上面側は、図２のように盆状に凹ませ、歯切り加工した歯車７を軸着部８に装着した回転支持装着部９に交換可能に取り付けて、付着した油や切屑を除去するようにしている。
【００３１】
歯車７の回転支持装着部９は、図２、図３のように中心部に小径の装着調整用歯車１０を薄状の調整板１１を介して軸着し、そのまわりにほぼ軸対称状に３個の軸支用歯車１２をそれぞれ係合して旋回可能に調整板１１に軸支し、この３個の軸支用歯車１２の上面に軸支ピン１４をそれぞれ立設し、油や切屑を除去する歯車７の内周部１３に３点支持により交換可能としている。
【００３２】
歯車７の内周部１３に３点支持するには、図４（ａ）のように装着調整用歯車１０の固定ボルト１５の弛めて、図４（ｂ）のように装着調整用歯車１０を旋回して軸支用歯車１２を旋回して３つの軸支ピン１４を拡縮して所要の支持位置とし、図４（ｃ）のように装着調整用歯車１０の固定ボルト１５をやや締め、図４（ｄ）のように所要径の歯車７の内周部１３を装着して固定ボルト１５をしっかりと締め、歯車７を回転可能として装着できるようにしている。
【００３３】
このようにして、図１のように装置本体３の開閉蓋１６を開いて歯切りした歯車７を上記したようにして回転支持装着部９に装着し、開閉蓋１６を閉じ、タイマーを設定して図外の制御盤のスイッチを入れ、電動機５を駆動して、シロッコファンの遠心式送風機４を１５００ｒ．ｐ．ｍで高速回転する。
【００３４】
すると、図１に示すように遠心式送風機4 の高速回転によって、歯車７に付着した油や切屑を遠心分離して払い落とすことができるとともに、遠心式送風機４により発生する送風を装置本体３の側面の内周面にそって上昇させて装置本体３の上面の中央部から歯車７の中央部に向かって吹き付け、付着した油や切屑を吹き飛ばすことができ、歯車７の中心部の軸孔部付近に付着した油や切屑を奇麗に除去することができる。
【００３５】
なお、遠心式送風機４をシロッコフアンとし、１５００ｒ．ｐ．ｍの高速回転で回転駆動自在に形成したことによって、小型で、薄型で、歯車７に付着した油や切屑を遠心分離して払い落とすことができるとともに、効率よく発生する送風で上記のように歯車７の中心部の軸孔部付近に付着した油や切屑をも奇麗に除去することができる。
【００３６】
このようにして１５秒間等の所定の時間行って、歯車７に付着した油や切屑を完全に払い落として除去していき、払い落とした油や切屑は、装置本体３の底部のドレン穴１８から回収缶等に落下し、溜まった油は再利用していくものである。このようにして清掃できると、次の歯車７と交換して次々と清掃していくものである。
【００３７】
図５は、本考案の他の実施例のものである。本実施例では、シロッコファンの遠心式送風機４の回転支持装着部９に所要の円環状のかご１９を取付け、このかご１９に汚れたＣＤ等や小物の被除去用品２０を収容して、上記と同様に清浄化するようにしたものである。
【００３８】
本実施例では、特にかご１９を円環状として中央部を空隙部２１を設けたことによって、上面からの送風をかご１９の内側から吹き付けられ、またかご１９の外周面を漸次上方に拡大した傾斜円周面としたことによって、被除去用品２０が浮き上がり状態となって、下から風が通りやすく、よりよく清浄処理ができるものである。
【００３９】
以上のように、歯車等の油や切屑等の除去装置は、回転支持装着部に電動機を接続して回転したが、エヤーモータや手動回転するなど、本考案の趣旨にもとづいて多様な変形態様を実施することができる。
【産業上の利用可能性】
【００４０】
本考案は、歯切りした歯車の油や切屑や、ＣＤや各種部品の油や汚れの付着物の除去処理に利用できる。
【符号の説明】
【００４１】
１…除去装置      ３…装置本体    ４…遠心送風機    ５…電動機    ７…歯車
９…回転支持装着部    １７…吸入部      ２０…被除去用品
【図１】
0003179873.tif 000003
【図２】
0003179873.tif 000004
【図３】
0003179873.tif 000005
【図４】
0003179873.tif 000006
【図５】
0003179873.tif 000007